(57)【要約】【課題】複数ある表示内容からユーザが所望する表示内容を表示可能とする。【解決手段】記憶部と、表示部と、センサ部と、通信部と、を備えるＩＣカードであって、前記記憶部は、複数のサービス情報を記憶し、前記表示部は、前記記憶される複数のサービス情報のうち、１つのサービス情報を表示し、前記センサ部により、動作が検知された場合、前記表示部は、前記表示しているサービス情報とは別のサービス情報を表示する。【選択図】図２
2011096034.tif 000002
【特許請求の範囲】
【請求項１】
記憶部と、表示部と、センサ部と、通信部と、を備えるＩＣカードであって、
前記記憶部は、複数のサービス情報を記憶し、
前記表示部は、前記記憶される複数のサービス情報のうち、１つのサービス情報を表示し、
前記センサ部により、動作が検知された場合、前記表示部は、前記表示しているサービス情報とは別のサービス情報を表示することを特徴とするＩＣカード。
【請求項２】
前記通信部により、外部装置と通信が行われた場合、前記表示部は、当該通信に係るサービス情報を表示することを特徴とする請求項１に記載のＩＣカード。
【請求項３】
タイマ部を更に備え、
前記通信に係るサービス情報が表示された場合、前記タイマ部により予め定められている時間内に、前記センサ部により、動作が検知された場合、前記表示部は、当該サービス情報についての履歴情報を表示することを特徴とする請求項２に記載のＩＣカード。
【請求項４】
前記動作は、第一方向または第二方向に対する動作であって、
前記表示部は、検知された方向に応じたサービス情報を表示する制御を行うことを特徴とする請求項１乃至３のいずれか１項に記載のＩＣカード。
【請求項５】
記憶部と、表示部と、センサ部と、通信部と、を備えるＩＣカードにおける制御方法であって、
前記表示部により、前記記憶部に記憶される複数のサービス情報のうち、１つのサービス情報を表示する第一の表示ステップと、
前記センサ部により、動作を検知する検知ステップと、
前記センサ部により、動作が検知された場合、前記表示部により、前記表示しているサービス情報とは別のサービス情報を表示する第二の表示ステップと
を含むことを特徴とする制御方法。
【発明の詳細な説明】
【技術分野】
【０００１】
ＩＣカードの表示切り替えの技術に関する。
【背景技術】
【０００２】
現在、様々な分野でＩＣカードが利用されている。
【０００３】
ＩＣカードとは、情報（データ）の記録や演算をするために集積回路（ＩＣ）を組み込んだカードの事である。
【０００４】
カード内に半導体メモリを組み込む事により、取り扱える情報量が従来の磁気ストライプカードと比べて格段に大きくなり、さらに、ＣＰＵなどを内蔵する事で、カード内部で情報処理が可能になるという特徴がある。
【０００５】
特許文献１には、社員証などの個人情報カードにおいて、個人情報の内容の変更などに対応して表示を書き換えたり、場所により必要情報の表示・非表示の制御を行ったり、情報機器の利用情報を表示したりすることができる技術が開示されている。
【先行技術文献】
【特許文献】
【０００６】
【特許文献１】特開２００９−７０３１３号公報
【発明の概要】
【発明が解決しようとする課題】
【０００７】
しかしながら、特許文献１に記載の技術は、場所によりその場所に応じた表示内容を表示する制御することはできるが、複数ある表示内容からユーザが所望する表示内容を表示させる技術ではない。
【０００８】
本発明は上記課題を解決するものであり、複数ある表示内容からユーザが所望する表示内容を表示可能とする。
【課題を解決するための手段】
【０００９】
本発明は、記憶部と、表示部と、センサ部と、通信部と、を備えるＩＣカードであって、前記記憶部は、複数のサービス情報を記憶し、前記表示部は、前記記憶される複数のサービス情報のうち、１つのサービス情報を表示し、前記センサ部により、動作が検知された場合、前記表示部は、前記表示しているサービス情報とは別のサービス情報を表示することを特徴とする。
【発明の効果】
【００１０】
本発明によれば、複数ある表示内容からユーザが所望する表示内容が表示可能となる。
【図面の簡単な説明】
【００１１】
【図１】ＩＣカードのハードウェア構成図。
【図２】ユーザがＩＣカードを振る例を示す図。
【図３】ＩＣカードの表示の遷移を示す図。
【図４】ＩＣカードのシステム構成図。
【図５】ＩＣカードの履歴モードにおける表示例を示す図。
【図６】ＩＣカードの処理の流れを示すフローチャート。
【発明を実施するための形態】
【００１２】
図１は、ＩＣカードの機能ブロック図である。
【００１３】
ＩＣカードは、表示部１０１、通信部１０２、電源部１０３、記憶部１０４、センサ部１０５、タイマ部１０６、制御部１０７の各機能を有している。
【００１４】
表示部１０１は、電子ディスプレイ技術を用いて、外部記憶装置や内部記憶装置に記憶されている様々な情報を表示することが可能である。
【００１５】
通信部１０２は、ＲＦＩＤ（Ｒａｄｉｏ  Ｆｒｅｑｕｅｎｃｙ  ＩＤｅｎｔｉｆｉｃａｔｉｏｎ）の技術を用いて、外部の通信機器からの高周波を電源として用いて、外部の通信機器と通信を行う。
【００１６】
電源部１０３は、電力を供給するものである。なお、電子ディスプレイ技術では、表示の書き換え時のみに電源が必要で、すでに表示された内容を保持するために電源を必要としないものがある。その場合、表示内容の変更を行う際に通信部１０２が外部装置から送信される高周波を電源として、表示内容の変更に必要な電力として利用することにより、電源部１０３を持たなくとも動作可能とすることが出来る。このように外部から電源を取得することができ場合、電源部１０３は、不要である。
【００１７】
記憶部１０４は、各種情報を記憶するものである。表示部１０１に表示する情報も記憶される。ここには、複数の電子マネーやポイントカードの情報が格納されている。本実施の形態では、複数のサービスそれぞれの情報をサービス情報という。サービス情報には、後述する図３や図５に示すような表示領域に表示される情報が含まれる。
【００１８】
センサ部１０５は、ＩＣカードに対する物理的作用を検知するものである。例えば、加速度センサなどがある。加速度センサは、加速度を計測するセンサであって、その用途は多岐にわたっており、歩数計や携帯電話の画面の上下方向を決めるのに使用されている。
【００１９】
タイマ部１０６は、時間をカウントする機能を備える。
【００２０】
制御部１０７は、表示部１０１、通信部１０２、電源部１０３、記憶部１０４、センサ部１０５、タイマ部１０６を制御する。
【００２１】
図２は、ＩＣカードの所有者が、ＩＣカードを振った例を示す図である。本実施の形態では、ＩＣカードを振る方向として第一方向と第二方向があるものとして説明する。
【００２２】
センサ部は、ＩＣカードが振られた場合、第一方向または第二方向のいずれに振られたかを検知することができる。
【００２３】
本実施の形態では、センサ部により第一方向または第二方向のいずれに振られたかを検知した場合、その方向に応じて、制御部が、表示部の内容を変化させる制御を行う。
【００２４】
なお、本実施の形態では、第一方向および第二方向の二種類の例で説明するが、方向の種類は、二種類に限定されるものではない。センサ部は、三種類以上の方向でも検知可能であるため、それぞれの方向に応じて表示内容を切り替えることができる。
【００２５】
表示部に表示される表示内容の遷移を、図３を用いて説明する。
【００２６】
なお、表示内容は、一般に、電子マネーやポイントカードなどのサービス毎に異なる内容となっている。
【００２７】
まず、ＩＣカードの表示領域３０１には、電子マネーＡについての内容が表示されているものとする。３０１には、残高が８７４６円、Ａポイントが１３４５０ポイントであると表示されている。なお、Ａポイントとは、電子マネーＡの利用実績に応じて利用者に付与されるポイントのことである。
【００２８】
ここで、ＩＣカードが第一方向へ振られたことをセンサ部が検知した場合、制御部は、記録部から電子マネーＢについての情報を取り出し、表示部に表示する制御を行う。３０２に例を示す。３０２には、残高が３５６６円、Ｂポイントが３４０ｐｔであると表示されている。なお、Ｂポイントとは、電子マネーＢの利用実績に応じて利用者に付与されるポイントのことである。
【００２９】
更に、ＩＣカードが第一方向へ振られたことをセンサ部が検知した場合、制御部は、記録部から△△カメラについての情報を取り出し、表示部に表示する制御を行う。３０３に例を示す。３０３には、ポイントが１３４５０ポイント、有効期限が２０１１／１０／１０であると表示されている。なお、ポイントとは、△△カメラでの購入額に応じて一定の割合で付与されるポイントのことである。
【００３０】
ここで、表示領域には、表示可能な表示内容の数と、現在の表示内容の番号が把握できる表示を３１１〜３１３にしている。例えば、「２／３」とは、全部で表示可能な表示内容の数が「３」つあり、現在、「２」ページ目を表示していることを示している。
【００３１】
なお、最後のページが表示された状態で、さらに第一方向へ振られた場合、最初のページにループして表示することができる。
【００３２】
一方、ＩＣカードが第二方向へ振られたことをセンサ部が検知した場合、制御部は、現在表示しているページから１ページ戻って、表示する制御を行うことができる。また、１ページ戻るのではなく、常に最初のページ戻って、表示する制御を行うことができてもよい（デフォルト表示）。
【００３３】
図４は、実際にＩＣカードを利用する場合のシステム構成図である。
【００３４】
ＩＣカード１０を、リーダ／ライタ２０へかざすと、リーダ／ライタ２０は、ＩＣカードから情報を読み取り、サーバ３０に読み取った情報を送信する。サーバ３０は、サービスの内容に応じた処理を行い、処理結果をリーダ／ライタ２０を介して、ＩＣカード１０を書き込む。
【００３５】
例えば、電子マネーＡで決済をする場合、リーダ／ライタ２０は、ＩＣカード１０から残高情報を読み取り、サーバ３０へ情報を送信する。サーバ３０では、決済処理を行い、その結果（決済後の残高）を、リーダ／ライタ２０を介して、ＩＣカード１０へ書き込む。
【００３６】
なお、一般に、ユーザは、決済後に利用した電子マネーの残高を確認したいことから、本実施の形態では、電子マネーＡによる決済がされた後は、表示領域に、電子マネーＢや△△カメラのポイントが表示されていたとしても、切り替えて、電子マネーＡを表示領域へ表示する。このようにすることで、ユーザは、カードを振ることなく、直ちに、所望の情報を確認することができる。
【００３７】
さらに、表示画面を切り替えて所定の時間内は、履歴閲覧モードに変更することができる。この履歴閲覧モード時に、ＩＣカードを第一方向または第二方向へ振ることで、履歴情報を確認することができる。
【００３８】
図５は、電子マネーＡについて、履歴閲覧モードになった場合の画面例を示す。
【００３９】
まず、１回、第一方向へＩＣカードを振ることで、表示領域に５１２の画面が表示される。５１１に「１／５」との表示があるように、５ページある履歴のうち、１ページ目を表示していることを示す。
【００４０】
この状態で、第一方向へ振ることで次のページを閲覧することができる。３回振ると３ページ進むため、５１２のように「４／５」と表示され、そのページに記録されている過去の明細を確認することができる。
【００４１】
図６は、ＩＣカードにおける処理の流れを示すフローチャートである。
【００４２】
本処理の主体は、制御部である。
【００４３】
６０１において、動きを検知したかを判定する。Ｙｅｓの場合６０２へ進み、Ｎｏの場合６０３へ進む。ここでは、加速度センサによりＩＣカードが振られたかを判定し、かつ、第一方向または第二方向のいずれに振られたかを判定する。
【００４４】
６０２において、表示内容を変更する。ここでは、振られた方向に応じて、表示内容を変更する（図３参照）。
【００４５】
６０３において、読み書きが発生したかを判定する。Ｙｅｓの場合６０４へ進み、Ｎｏの場合６０１へ戻る。ここではＩＣカードがリーダ／ライタにより読み書きが発生したかを判定する。なお、読み書きが発生した場合、タイマ部が、予め設定されている時間のカウントダウンを始める。例えば、３０秒のカウントダウンを始める。
【００４６】
６０４において、履歴モードを開始する。履歴モードを開始することで、表示領域の画面を切り替える。例えば、電子マネーＡについての読み書きが発生した場合（決済が行われた場合）、表示内容を、現在表示されている内容にかかわらず、電子マネーＡの内容を表示する。
【００４７】
６０５において、所定時間経過したかを判定する。Ｙｅｓの場合６０８へ進み、Ｎｏの場合６０６へ進む。ここでは、６０３で読み書きが発生した際に、タイマ部がカウントダウンしている時間内であるかを判定している。
【００４８】
６０６において、動きを検知したかを判定する。Ｙｅｓの場合６０７へ進み、Ｎｏの場合６０５へ戻る。この処理は６０１と同じである。
【００４９】
６０７において、履歴表示を行う。ここでは、振られた方向に応じて、表示内容を変更する（図５参照）。
【００５０】
６０８において、履歴モードを終了し、６０１へ戻る。
【００５１】
以上説明した通り、本発明によれば、複数ある表示内容からユーザが所望する表示内容が表示可能となる。
【００５２】
具体的には、ユーザは、ＩＣカードを振ることで、複数のサービス毎（電子マネーＡやポイントカードなど）の表示内容を切り替え表示することが可能となる。
【００５３】
また、サービスを利用したタイミング（決済処理など）で、そのサービスの表示を行い（電子マネーＡを使った場合は、電子マネーＡの表示）、しばらくの時間は、ＩＣカードを振ると、そのサービスの履歴を確認することが可能となる。
【符号の説明】
【００５４】
１０１  表示部
１０２  通信部
１０３  電源部
１０４  記憶部
１０５  センサ部
１０６  タイマ部
１０７  制御部
【図１】
2011096034.tif 000003
【図２】
2011096034.tif 000004
【図３】
2011096034.tif 000005
【図４】
2011096034.tif 000006
【図５】
2011096034.tif 000007
【図６】
2011096034.tif 000008